(57)【要約】【課題】  高精度な前処理を必要としないパネル接合構造を提供すること。【解決手段】  第１面板１１と第２面板１２とが山形に配置された斜めの継ぎ部材１３で連結されてなる中空状の長尺なパネル１を、摩擦攪拌溶接を利用して幅方向に接合するものであり、パネル１は、幅方向両端部の継ぎ部材１３が同じ方向に傾くようにして第１面板１１と第２面板１２とがずれたものであって、その幅方向端部の継ぎ部材１３ａから幅方向に突き出して形成された突出部１１ａ，１１ｂ，１２ａ，１２ｂを有し、そのパネル同１士の突出部１１ａ，１１ｂ／１２ａ，１２ｂを上下に重ねて配置したその重なり部分を摩擦攪拌溶接によって接合するようにしたパネル接合構造。【選択図】        図１
2005074497.tif 000002
【特許請求の範囲】
【請求項１】
第１面板と第２面板とが山形に配置された斜めの継ぎ部材で連結されてなる中空状の長尺なパネルを、摩擦攪拌溶接を利用して幅方向に接合するパネル接合構造において、
前記パネルは、幅方向両端部の継ぎ部材が同じ方向に傾くようにして前記第１面板と第２面板とがずれたものであって、その幅方向端部の継ぎ部材から幅方向に突き出して形成された突出部を有し、そのパネル同士の突出部を上下に重ねて配置したその重なり部分を摩擦攪拌溶接によって接合するようにしたものであることを特徴とするパネル接合構造。
【請求項２】
請求項１に記載するパネル接合構造において、
前記摩擦攪拌溶接は、スポット的に行われるようにしたものであることを特徴とするパネル接合構造。
【請求項３】
請求項２に記載するパネル接合構造において、
パネル同士の接合部をシール剤や接着剤を塗布するようにしたものであることを特徴とするパネル接合構造。
【請求項４】
請求項２又は請求項３に記載するパネル接合構造において、
前記幅方向端部の継ぎ部材同士の間にできる空間に発泡タイプの遮音材や断熱材を充填するようにしたものであることを特徴とするパネル接合構造。
【発明の詳細な説明】
【技術分野】
【０００１】
本発明は、例えば長尺な中空パネルを摩擦攪拌溶接を利用して接合し、鉄道車両の構体などを構成するパネル接合構造に関し、２枚重ねして形成された長尺なパネルについて高精度な前処理を必要としないで行うことができるパネル接合構造に関する。
【背景技術】
【０００２】
２枚の板からなる中空構造のパネルなどは、例えばアルミニウム合金製の鉄道車両構体や建築材に見ることができる。そうしたパネル同士をつなげる従来のパネル接合構造には、下記特許文献１として示した特開平１１−２０７４７５号公報を挙げることができる。図４及び図５は、同特許文献１に記載されているパネル接合構造を示した断面図であり、パネルの端部同士を付き合わせて接合する場合の工程図である。
【０００３】
先ず、図４に示すように、中空型材（パネル）１０１の端には凹んだ角部１０３，１０４が形成され、中空型材（パネル）１０２の端部の突片１０５，１０６の先端が角部１０３，１０４にはめ合わされている。このとき、２つのパネル１０１，１０２の突き合わせ部分、すなわち回転工具５０が押圧されることになる位置には支持板１０７が存在している。そこに回転工具５０が回転を与えながら突き合わせ部分に当たられると、パネル１０１，１０２は突片１０５，１０６下方までが塑性流動状態になり、摩擦攪拌溶接され接合される。同様に、凸部５２の径よりも大きく塑性流動状態になる。そして、接合においては、突片１０５，１０６と支持板１０７との接触部まで摩擦攪拌溶接される。そして、図５に示すように、支持板１０７の厚さの中心の延長線上に接合ビード１１０の幅の中心が位置するように接合された状態となる。
【特許文献１】特開平１１−２０７４７５号公報（第４−５頁、図３、図４）
【発明の開示】
【発明が解決しようとする課題】
【０００４】
摩擦攪拌溶接は、ＭＩＧ溶接やＴＩＧ溶接などに比べると、接合時の歪みが相当に少ないことと、接合による入熱量が少ないため接合部の強度が向上することにより接合方法として利用が増えつつある。しかし、ＭＩＧ溶接やＴＩＧ溶接などに比べ、同溶接に必要となる接合部の加工精度より相当高度な前処理精度が要求されるという製作上の問題があった。つまり、従来のパネル接合構造では、接合する両パネルの突き当て部分を溶接ポイントとして連続溶接していたので、その突き当て部分を確実に溶接できるようにするため高精度な前処理を行わなければならなかった。更に、摩擦攪拌溶接の時に作用する回転工具５０の押し付け荷重が大きいため、一方のパネル１０１に支持板１０７を有するような特別な構造でなければならず、従来から使用されているパネルとは異なるパネルを製造する必要があった。
【０００５】
そこで、本発明は、かかる課題を解決すべく、高精度な前処理を必要としないパネル接合構造を提供することを目的とする。
【課題を解決するための手段】
【０００６】
本発明に係るパネル接合構造は、第１面板と第２面板とが山形に配置された斜めの継ぎ部材で連結されてなる中空状の長尺なパネルを、摩擦攪拌溶接を利用して幅方向に接合するものであり、前記パネルは、幅方向両端部の継ぎ部材が同じ方向に傾くようにして前記第１面板と第２面板とがずれたものであって、その幅方向端部の継ぎ部材から幅方向に突き出して形成された突出部を有し、そのパネル同士の突出部を上下に重ねて配置したその重なり部分を摩擦攪拌溶接によって接合するようにしたものであることを特徴とする。
そして、前記摩擦攪拌溶接は、スポット的に行われるようにしたものであることが望ましい。
また、パネル同士の接合部をシール剤や接着剤を塗布するようにしたものであることが望ましい。
更に、前記幅方向端部の継ぎ部材同士の間にできる空間に発泡タイプの遮音材や断熱材を充填するようにしたものであることが望ましい。
【０００７】
こうした本発明のパネル接合構造では、両パネルに形成された突出部の重なり部分を摩擦攪拌溶接するようにしたので、これまでのように高精度な前処理を行わなくても確実に溶接することができ、製作工程を単純化することができる。そして、接合部分の継ぎ部材、すなわち幅方向端部の継ぎ部材が近い距離で配置され、二重になって摩擦攪拌溶接時の荷重を受けるので、従来のように補強部を有する特殊な構造のパネルを製造することなく、従来からのパネルを使用することができる。
また、摩擦攪拌溶接をスポット的に行うことにより、入熱量を少なくして歪みを格段に抑えたパネル接合構造とすることができる。その際、シール剤や接着剤によって気密性を確保することができ、また、遮音材や断熱材を充填することで遮音性を高めることができる。
【発明の効果】
【０００８】
本発明は、第１面板と第２面板とが山形に配置された斜めの継ぎ部材で連結されてなる中空状の長尺なパネルを、摩擦攪拌溶接を利用して幅方向に接合するものであり、前記パネルは、幅方向両端部の継ぎ部材が同じ方向に傾くようにして第１面板と第２面板とがずれたものであって、その幅方向端部の継ぎ部材から幅方向に突き出して形成された突出部を有し、そのパネル同士の突出部を上下に重ねて配置したその重なり部分を摩擦攪拌溶接によって接合するようにしたので、高精度な前処理を必要としないパネル接合構造を提供することが可能になった。
【発明を実施するための最良の形態】
【０００９】
次に、本発明に係るパネル接合構造の一実施形態について、図面を参照しながら以下に説明する。図１は、パネル同士を接合する接合構造を示した断面図であり、特に鉄道車両の構体を構成する場合におけるパネル接合構造を示したものである。このパネル１は、図面を貫く方向に長尺なアルミニウム型材であって、図面上側に記載された車体室内側の内側面板１１と、図面下側に記載された車体外側の外側面板１２とが、継ぎ部材である斜めのリブ材１３，１３…（図１では１３ａ，１３ｂと表示）によって連結さてなる中空構造をしている。そして、こうした複数のパネル１，１…が幅方向（図面横方向）に連結され、図３に示す断面のように鉄道車両構体２が構成される。すなわち、この中空構造断面を有するパネル１は、長尺な長方形形状をしたものであり、長手方向側部（幅方向端部）同士が接合され、図３に示すように箱形の鉄道車両構体を形成する。そうしたパネル１同士の具体的な接合構造が図１に示すものである。
【００１０】
各々のパネル１，１…は、図示した向きに見る断面では、図面右側端部において図面下側の外側面板１２が図面上側の内側面板１１よりも長く、逆に図面左側端部においては、内側面板１１が内側面板１１よりも長い。すなわち、上下に内側面板１１と外側面板とは左右幅方向にずれてリブ材１３によって連結されている。そして、左右いずれも最端部のリブ材１３ａより内側面板１１と外側面板１２が幅方向に突き出している。本実施形態においてパネル１，１…を接合する場合には、この突出部１１ａ，１１ｂ，１２ａ，１２ｂが上下に重なるようにはめ合わされ、その重なり合った部分に対して摩擦攪拌溶接が行われる。
【００１１】
上下にずれた突出部１１ａ，１１ｂと突出部１２ａ，１２ｂは、図１の場合には一方を他方の内側に差し込むようにして重ねているが、その他にも図２に示すように互いを同じ上下方向にずらすようにしてもよい。そして、室内側および室外側を問わず、その外側に重ねられる突出部１１ａ，１２ａの先端を突き当てるように、また、他方のパネル１にはその突出部１１ａ，１２ａなどに対応した段部１５が形成されている。こうしてパネル１，１同士がはめ合わされるとき、特に外側面板１２が鉄道車両構体２の外形面、すなわち鉄道車両の外観をなす意匠面となるため、段差１５と、そこに突き当てられた突出部１２ａとは、外側面板１２，１２が連続して面一になるように形成されている。そして、その接合部分には段差や凹みがないことが必要があるが、本実施形態では加工精度が要求されないことを目的としているため、突出部１２ａの突き当て部分にできる隙間はパテ埋めが行われる。一方、内側面板１１，１１も面一となるように突出部１１ｂと段差１５が形成されているが、室内を構成する化粧板によって覆われるため、必ずしも面一でなくてもよく、また接合部分に生じる多少の隙間は問題とならない。
【００１２】
図１に示すようにパネル１，１が突き合わされた後、回転工具５０によって摩擦攪拌溶接が行われて一体に接合される。その際、本実施形態では、先端が突き当てられた突出部１１ａ，１２ｂの先端を連続溶接するのではなく、突出部１１ａ，１２ａと突出部１１ｂ，１２ｂの重なり部分を、しかも図に示すようにスポット的に溶接するようにしている。スポット的に溶接するようにしたのは、摩擦攪拌溶接時の入熱量を減らしてパネル１，１に歪みが生じるのを防止するためである。
【００１３】
内側面板１１，１１同士の接合部と外側面板１２，１２同士の接合部とは、上下に重なることなく左右にずれた位置にある。摩擦攪拌溶接を行う場合、回転工具５０はパネル１，１に対して直交方向に押し付けられ、その押し付け荷重が大きいため、前記特許文献１などではその荷重位置に垂直なリブ材１０７などを設けて支えとしている。本実施形態では、例えば内側面板１１，１１を接合する場合、外側面板１２，１２側が台の上に載せられたパネル１，１に対して行われる。そして、その接合位置は、前述したように突出部１１ａ，１２ａが重なった部分であり、そこは互いに近いリブ材１３，１３によって挟まれた中間位置にある。
【００１４】
図面上方から下方にかかる回転工具５０の荷重は、主に図面左側のパネル１の山形に配置されたリブ材１３ａ，１３ｂによって支えられる。このとき本実施形態では、内側面板１１と外側面板１２とがずれていることにより、接合部分のリブ材１３ａ，１３ａを近い距離で二重にすることができている。従って、回転工具５０の荷重がより大きく作用する一方の接合部分のリブ材１３ａを、他方のリブ材１３ａがその回転工具５０の荷重を受けて補助するようになっている。こうして内側面板１１，１１が接合した後、外側面板１２，１２の接合を行う場合も同様である。
【００１５】
前述したようにこのパネル１，１…は、外側面板１２，１２が車体外形面をなすため、接合部の気密性が要求される。しかしながら、本実施形態では連続溶接することなくスポット的に溶接しているので、気密性を保つために接合部には、その突出部１１ｂ，１２ａの突き当て部分に沿ってシール剤や接着剤が塗布される。更に、リブ材１３ａ，１３ａの間に空間ができるが、ここに発泡タイプの遮音材や断熱材を充填するようにして気密性を高めるようにしてもよい。
【００１６】
更に、図２に示すパネル同士を接合する接合構造では、前述したように上下にずれた突出部１１ａ，１１ｂと突出部１２ａ，１２ｂとが、図１の場合には一方を他方の内側に差し込むようにして重ねられているのに対し、互いを同じ上下方向にずらすようにしている。そして、突出部１１ａ，１２ｂの先端を段部１５に突き当てるようにしてパネル１，１同士がはめ合わされ、少なくとも鉄道車両構体２の外形面になる外側面板１２は、接合部分において段差や凹みがないように面一になるように形成されている。パネル１，１が突き合わされた後、回転工具５０によって摩擦攪拌溶接が行われて一体に接合される。その際、入熱量を減らすため突出部１１ａ，１１ｂ，１２ａ，１２ｂの重なり部分をスポット的に溶接する。スポット的に溶接した接合部の気密性を保つためシール剤や接着剤が塗布され、更にリブ材１３ａ，１３ａの間に空間には発泡タイプの遮音材や断熱材を充填するようにして気密性を高めるようにしてもよい。
【００１７】
よって、本実施形態のパネル接合構造によれば、両パネルの重なり部分を摩擦攪拌溶接するようにしたので、これまでのように高精度な前処理を行わなくても確実に溶接することができ、製作工程を単純にすることができるようになった。また、図１及び図２に示すパネル１，１…は、摩擦攪拌溶接を行うための特別なリブ材を設けることなく、ＭＩＧ溶接やＴＩＧ溶接を行って接合していた従来のパネル構造と同じものを使って摩擦攪拌溶接するようにしたので、その点でコストをかけることなく摩擦攪拌溶接によるパネル接合構造を実現した。そして、連続溶接することなくスポット的に摩擦攪拌溶接するようにしたので、ＭＩＧ溶接やＴＩＧ溶接などに比べて入熱量の少ない摩擦攪拌溶接の入熱量を更に少なくし、歪みを格段に抑えたパネル接合構造とすることができた。
【００１８】
また、スポット的に摩擦攪拌溶接するようにした本実施形態のパネル接合構造は、接合実績があり十分な強度上の信頼性があるものの気密性に劣る場合もあるが、その点はシール剤や接着剤によって気密性を確保することにより解決できる。また、その際、接合部に位置するリブ材１３ａ，１３ａの間の空間に発泡タイプの遮音材や断熱材を充填することによって、遮音性と気密性を高めることができる。
【００１９】
以上、本発明に係るパネル接合構造について一実施形態を説明したが、本発明はこうした実施形態に限定されることなく、その趣旨を逸脱しない範囲で様々な変更が可能である。
例えば、前記実施形態では図３に示すように鉄道車両構体を構成する場合のパネル接合構造について説明したが、建物の外壁を構成する建築材に関するパネル接合構造であってもよい。
【図面の簡単な説明】
【００２０】
【図１】パネル同士を接合する接合構造の一実施形態を示した断面図である。
【図２】パネル同士を接合する接合構造の他の一実施形態を示した断面図である。
【図３】パネルを接合して構成した鉄道車両構体を示した断面図である。
【図４】従来のパネル接合構造を示した断面図である。
【図５】従来のパネル接合構造を示した断面図である。
【符号の説明】
【００２１】
１    パネル
１１  内側面板
１２  外側面板
１３  リブ材
１１ａ，１１ｂ，１２ａ，１２ｂ  突出部
５０  回転工具
【図１】
2005074497.tif 000003
【図２】
2005074497.tif 000004
【図３】
2005074497.tif 000005
【図４】
2005074497.tif 000006
【図５】
2005074497.tif 000007